(57)【要約】  システムは、マシンであって、一意のネットワーク識別子および一意のマシン識別子を有するローカル、ワイヤレス、ピア−ツー−ピア・ネットワークと、このネットワーク上においてウェブ・ブラウザに基づく通信を可能にするインターフェースと、ネットワークを通じてマシンの動作を制御するためのマシン制御ダッシュボードを提供するダッシュボード・ジェネレータと、ネットワークおよびマシンのマシン制御ダッシュボードにアクセスするために必要とされる情報の全てをワイヤレスで提供するために、マシンと関連付けられたゲートウェイ・タグとを備える、マシンと、携帯用デバイスであって、ネットワークを通じたウェブ・ブラウザに基づく通信に対応し、ゲートウェイ・タグを取得し、マシン制御ダッシュボードを携帯用デバイス上に表示するように、ゲートウェイ・タグからの情報を使用して自動的にネットワークおよびマシンに接続することによって、携帯用デバイス上に表示されたマシン制御ダッシュボードによってマシンを制御することを可能にするように構成された、携帯用デバイスとを備える。【選択図】図２
2020533877.tif 000002
【特許請求の範囲】
【請求項１】
システムであって、
マシンであって、
一意のネットワーク識別子および一意のマシン識別子を有するローカル、ワイヤレス、ピア−ツー−ピア・ネットワークと、
前記ネットワーク上においてウェブ・ブラウザに基づく通信を可能にするインターフェースと、
前記ネットワークを通じて前記マシンの動作を制御するためのマシン制御ダッシュボードを提供するダッシュボード・ジェネレータと、
前記ネットワークおよび前記マシンのマシン制御ダッシュボードにアクセスするために必要とされる情報の全てをワイヤレスで提供するために、前記マシンと関連付けられたゲートウェイ・タグと、
を備える、マシンと、
携帯用デバイスであって、前記ネットワークを通じたウェブ・ブラウザに基づく通信に対応し、ゲートウェイ・タグを取得し、前記マシン制御ダッシュボードを前記携帯用デバイス上に表示するように、前記ゲートウェイ・タグからの情報を使用して自動的に前記ネットワークおよび前記マシンに接続することによって、前記携帯用デバイス上に表示された前記マシン制御ダッシュボードによって前記マシンを制御することを可能にするように構成された、携帯用デバイスと、
を備える、システム。
【請求項２】
請求項１記載のシステムにおいて、前記携帯用デバイスが、前記マシンから前記ゲートウェイ・タグを取得し、前記マシン制御ダッシュボードが前記携帯用デバイス上に表示されるように、前記ゲートウェイ・タグからの情報を使用して前記ネットワークおよび前記マシンに自動的に接続するように構成されたユニバーサル・ゲートウェイ・アプリを備え、これによって、前記携帯用デバイス上に表示された前記マシン制御ダッシュボードによって前記マシンを制御することを可能にする、システム。
【請求項３】
請求項２記載のシステムにおいて、前記携帯用デバイスがウェブ・ブラウザを備え、更に、前記ユニバーサル・ゲートウェイ・アプリが、前記携帯用デバイスのウェブ・ブラウザを通じて、前記マシン制御ダッシュボードを表示させる、システム。
【請求項４】
請求項２記載のシステムにおいて、前記ユニバーサル・ゲートウェイ・アプリが、インターネットまたはセルラ電話接続を使用して、前記携帯用デバイスにダウンロード可能である、システム。
【請求項５】
請求項２記載のシステムにおいて、前記ユニバーサル・ゲートウェイ・アプリが、前記マシンから前記携帯用デバイスにダウンロード可能である、システム。
【請求項６】
請求項５記載のシステムにおいて、前記ユニバーサル・ゲートウェイ・アプリのコピーが、前記マシン上のメモリに格納される、システム。
【請求項７】
請求項１記載のシステムにおいて、前記ネットワークがＲＦベース技術を利用する、システム。
【請求項８】
請求項７記載のシステムにおいて、前記ネットワークが、ＷｉＦｉ、Ｂｌｕｅｔｏｏｔｈ、およびＺｉｇＢｅｅ技術から成る一群から１つを利用する、システム。
【請求項９】
請求項７記載のシステムにおいて、前記ネットワークがＬｉＦｉ技術を利用する、システム。
【請求項１０】
請求項１記載のシステムにおいて、前記ゲートウェイ・タグが光タグを含む、システム。
【請求項１１】
請求項１０記載のシステムにおいて、前記光タグが、ＱＲコードおよびバー・コードから成る一群から少なくとも１つを含む、システム。
【請求項１２】
請求項１０記載のシステムにおいて、前記ハンドヘルド・デバイスが、前記光タグを読み取るためにカメラを使用する、システム。
【請求項１３】
請求項１記載のシステムにおいて、前記ゲートウェイ・タグが電気タグを含む、システム。
【請求項１４】
請求項１３記載のシステムにおいて、前記電気タグが、ＮＦＣ電気コードおよびＲＦＩＤ電気コードから成る一群から少なくとも１つを含む、システム。
【請求項１５】
請求項１３記載のシステムにおいて、前記ハンドヘルド・デバイスが、ＮＦＣリーダおよびＲＦＩＤリーダから成る一群から少なくとも１つを使用する、システム。
【請求項１６】
請求項１記載のシステムにおいて、前記ネットワークを通じてウェブ・ブラウザに基づく通信を可能にするための前記インターフェースが、ＨｙｐｅｒＴｅｘｔ  Ｍａｒｋｕｐ言語（ＨＴＭＬ）プロトコルをサポートする、システム。
【請求項１７】
請求項１記載のシステムにおいて、前記マシンが、ダクトレス（濾過）ドラフト・チェンバ、空気濾過天井ユニット、ベンチ下化学薬品保管キャビネット、ダクト付きドラフト・チェンバ、および分析機器から成る一群から選択された実験室マシンを含む、システム。
【請求項１８】
請求項２記載のシステムにおいて、前記ユニバーサル・ゲートウェイ・アプリが、（ｉ）前記携帯用デバイスが前記マシンに接続されたときに、前記マシンの動作ログを前記携帯用デバイスにダウンロードし、（ｉｉ）その後、前記携帯用デバイスがインターネットまたはセルラ・ネットワークに接続することができるときに、前記マシンの動作ログを前記携帯用デバイスから遠隔サイトにアップロードするように構成される、システム。
【請求項１９】
請求項１記載のシステムにおいて、前記携帯用デバイスが、スマートフォン、タブレット、パーソナル・コンピュータ、スマートウォッチ、およびスマートグラスから成る一群から１つを含む、システム。
【請求項２０】
請求項１記載のシステムにおいて、前記ネットワーク、前記インターフェース、および前記ダッシュボード・ジェネレータが全て、マシン製造時に前記マシンと統合される、システム。
【請求項２１】
請求項１記載のシステムにおいて、前記ネットワーク、前記インターフェース、および前記ダッシュボード・ジェネレータが、マシン製造時の後に、前記マシンに追加される、システム。
【請求項２２】
請求項２１記載のシステムにおいて、前記ネットワーク、前記インターフェース、および前記ダッシュボード・ジェネレータが、マシン製造時の後に、ＵＳＢ接続を使用して前記マシンに追加される、システム。
【請求項２３】
請求項１記載のシステムにおいて、前記マシンが更に光およびラウドスピーカを備え、更に、前記マシンが、前記光を使用して光パルスのパターンを生成し、更に前記ラウドスピーカを使用してノイズ・パルスのパターンを生成することによって警報を出すように構成され、前記光パルスおよびノイズ・パルスのパターンが互いに同期され、更に各パターンが異なる種類の警報を表す、システム。
【請求項２４】
方法であって、
システムを設けるステップであって、前記システムが、
マシンであって、
一意のネットワーク識別子および一意のマシン識別子を有するローカル、ワイヤレス、ピア−ツー−ピア・ネットワークと、
前記ネットワーク上においてウェブ・ブラウザに基づく通信を可能にするインターフェースと、
前記ネットワークを通じて前記マシンの動作を制御するためのマシン制御ダッシュボードを提供するダッシュボード・ジェネレータと、
前記ネットワークおよび前記マシンのマシン制御ダッシュボードにアクセスするために必要とされる情報の全てをワイヤレスで提供するために、前記マシンと関連付けられたゲートウェイ・タグと、
を備える、マシンと、
携帯用デバイスであって、前記ネットワークを通じたウェブ・ブラウザに基づく通信に対応し、ゲートウェイ・タグを取得し、前記マシン制御ダッシュボードを前記携帯用デバイス上に表示するように、前記ゲートウェイ・タグからの情報を使用して自動的に前記ネットワークおよび前記マシンに接続することによって、前記携帯用デバイス上に表示された前記マシン制御ダッシュボードによって前記マシンを制御することを可能にするように構成された、携帯用デバイスと、
を備える、ステップと、
前記携帯用デバイスを使用して前記ゲートウェイ・タグを取得し、前記マシン制御ダッシュボードが前記携帯用デバイス上に表示されるように、前記ネットワークおよび前記マシンに自動的に接続するステップと、
前記携帯用デバイス上の前記マシン制御ダッシュボードを使用して、前記ネットワークを通じて前記マシンの動作を制御するステップと、
を含む、方法。
【請求項２５】
マシンであって、
一意のネットワーク識別子および一意のマシン識別子を有するローカル、ワイヤレス、ピア−ツー−ピア・ネットワークと、
前記ネットワーク上においてウェブ・ブラウザに基づく通信を可能にするインターフェースと、
前記ネットワークを通じて前記マシンの動作を制御するためのマシン制御ダッシュボードを提供するダッシュボード・ジェネレータと、
前記ネットワークおよび前記マシンのマシン制御ダッシュボードにアクセスするために必要とされる情報の全てをワイヤレスで提供するために、前記マシンと関連付けられたゲートウェイ・タグと、
を備える、マシン。
【請求項２６】
請求項２５記載のマシンにおいて、前記マシンがメモリを備え、更に、前記マシンのメモリにユニバーサル・ゲートウェイ・アプリが格納され、前記ユニバーサル・ゲートウェイ・アプリが前記マシンから携帯用デバイスにダウンロード可能であり、更に、前記ユニバーサル・ゲートウェイ・アプリが、前記携帯用デバイスが前記マシンから前記ゲートウェイ・タグを取得し、前記マシン制御ダッシュボードを前記携帯用デバイス上に表示するように、前記ゲートウェイ・タグからの情報を使用して前記ネットワークおよび前記マシンに自動的に接続することを可能にし、これによって、前記携帯用デバイス上に表示された前記マシン制御ダッシュボードによって前記マシンを制御することを可能にする、マシン。
【請求項２７】
携帯用デバイスのためのソフトウェア・アプリであって、前記携帯用デバイスが、ネットワークを通じたウェブ・ブラウザに基づく通信に対応し、ゲートウェイ・タグを取得するように構成され、前記ネットワークに供給されたマシン制御ダッシュボードが前記携帯用デバイス上に表示されるように、前記ソフトウェア・アプリが、前記ゲートウェイ・タグからの情報を使用して、前記ネットワークに、更に前記ネットワークに接続されたマシンに自動的に接続するように構成される、ソフトウェア・アプリ。
【発明の詳細な説明】
【技術分野】
【０００１】
係属中の先行特許出願に対する引用
本特許出願は、”USING A QR CODE TO ACCESS A WIRELESS WEB-BASED MACHINE CONTROL SYSTEM”（ワイヤレス・ウェブ・ベース・マシン制御システムにアクセスするためのＱＲコード（登録商標）の使用）に対して、FIPAK Research And Development CompanyおよびAntoine Hauvilleによって２０１７年９月７日に出願された係属中の先行米国仮特許出願第６２／５５５，４５０号（弁理士整理番号ＦＩＰＡＫ−１９ＰＲＯＶ）の権利を主張する。この特許出願をここで引用したことにより、その内容が本願にも含まれるものとする。
発明の分野
本発明は、一般的には、マシン制御システム(machine control system)に関し、更に特定すれば、マシン制御システムにアクセスする方法および装置(apparatus)に関する。
【背景技術】
【０００２】
今日、公衆または個人空間におけるあらゆる種類のマシン（例えば、ＡＴＭ、ガソリン給油ポンプ(gas pump)、自動販売機等）は、通常これらのマシンの前面上に見られる内蔵ボタン、マーキング（殆どの場合英語）、および画面の組み合わせによって、人とインターフェースする異なる手段を有するのが通常である。マシンが必要とされるとき、そして一旦これらが設置されているエリアにおいてこれらが発見されたなら（常に容易に行われるとは限らない）、ユーザはマシンの前に彼自身／彼女自身を置き、最初に、マシンが「作動中」か、利用可能か、正常に動作しているか、そして特に外国を旅行しているときに彼／彼女が理解できる言語で使用する準備ができているか否か把握し、次いでユーザは内蔵ボタン、マーキング、および画面を使用してこのマシンを操作することができる。
【０００３】
更に近年になって、マシン上にある内蔵ボタンおよび単一言語のマーキングが、内蔵の多言語タッチスクリーンと置き換えられてきた。
生憎、これら新しい方のタッチスクリーン・マシンは、製造により多くの費用がかかり、使用中に壊れやすい。加えて、特に、タッチスクリーン・マシンにコイン投入式機能が内蔵されている(fitted with)場合に、これら新しい方のタッチスクリーン・マシンは破壊行為を一層受け易い。このように、結局のところ、これら新しい方のタッチスクリーン・マシンは、製造および保守により多くの費用がかかり、破壊行為を受け易く、必ずしもユーザにとって使いやすいという訳ではない。
【０００４】
以上のことに加えて、近年、殆どの場合家屋および事務所において、「コネクテッド・オブジェクト」(connected object)または「コネクテッド・マシン」(connected machine)（例えば、インターネットに接続されたサーモスタット、インターネットに接続されたビデオ・カメラ、インターネットに接続された照明器具等）が見受けられ、スマートフォンまたはタブレットによって、ユーザがこの「コネクテッド・オブジェクト」または「コネクテッド・マシン」を制御することを可能にする。この手法では、「コネクテッド・オブジェクト」または「コネクテッド・マシン」がインターネットに接続され、スマートフォンまたはタブレットがインターネットに接続され、次いで、スマートフォンまたはタブレットがインターネット接続を通じて「コネクテッド・オブジェクト」または「コネクテッド・マシン」を制御することを可能にする「アプリ」を、スマートフォンまたはタブレットが実行する。「コネクテッド・オブジェクト」または「コネクテッド・マシン」、およびスマートフォンまたはタブレットは、セルラ電話技術（例えば、ＧＳＭまたはＷｉＦｉによって、インターネットにワイヤレスで接続されてもよい。これらの「コネクテッド・オブジェクト」または「コネクテッド・マシン」は、通例、簡略化された構造を有し、更にこれらは通常内蔵画面を有しておらず、スマートフォンまたはタブレットが「コネクテッド・オブジェクト」または「コネクテッド・マシン」とインターフェースすることを可能にするためには、ユーザが特定の「アプリ」をインターネットから彼らのスマートフォンまたはタブレットにダウンロードする必要がある。
【０００５】
この手法は非常に有用であるが、ユーザが大多数の（例えば、数百台の）「コネクテッド・オブジェクト」または「コネクテット・マシン」を制御することが必要である場合、これは破綻し始める。何故なら、その場合、ユーザは、これらの「コネクテッド・オブジェクト」または「コネクテッド・マシン」を操作する(run)ために、大多数の（例えば、数百の）特定の「アプリ」をダウンロードしなければならず、最終的に、ユーザのスマートフォンまたはタブレットの「デスクトップ」およびメモリを乱雑にするからである。更に、インターネット接続が利用できない場所にユーザがいるときに（例えば、サービスがないため、またはセキュリティ制限のため）ユーザが新たな「コネクテッド・オブジェクト」または「コネクテッド・マシン」をイネーブルする必要がある場合、ユーザは必要な「アプリ」を彼らのスマートフォンまたはタブレットにダウンロードすることができず、したがって、「コネクテッド・オブジェクト」または「コネクテッド・マシン」を操作するために必要な特定の「アプリ」を彼／彼女がダウンロードできるまで、「コネクテッド・オブジェクト」または「コネクテッド・マシン」とインターフェースすることができない。
【０００６】
したがって、先行技術の困難を回避する、新たなマシン（この用語はオブジェクトを包含することを意図している）制御方法が求められている。
【発明の概要】
【０００７】
本発明は、先行技術の困難を回避する、新たなマシン（この用語はオブジェクトを包含することを意図している）制御方法を提供する。
更に特定すれば、本発明は、光および／または電子タグ読み取り能力ならびにワイヤレス通信能力が装備されたスマートフォン、タブレット、パーソナル・コンピュータ、スマートウォッチ、スマートグラス等を有する者であれば誰でも、（ｉ）彼らのスマートフォン、タブレット、パーソナル・コンピュータ、スマートウォッチ、スマートグラス等にインストールされた「ユニバーサル・ゲートウェイ・アプリ」、および（ｉｉ）同様に彼らのスマートフォン、タブレット、パーソナル・コンピュータ、スマートウォッチ、スマートグラス等にインストールされたウェブ・ブラウザを使用して、ユーザが、彼らのスマートフォン、タブレット、パーソナル・コンピュータ、スマートウォッチ、スマートグラス等またはマシンのいずれによるインターネット・アクセスも必要とせずに、スマートフォン、タブレット、パーソナル・コンピュータ、スマートウォッチ、スマートグラス等を使用して、マシンの動作を全て制御することができるように、ワイヤレス・ウェブ・ベース・マシン制御システムを有する任意のマシンとワイヤレスで接続することを可能にする。
【０００８】
尚、本明細書において使用する場合、「ワイヤレス・ウェブ・ベース・マシン制御システム」(wireless web-based machine control system)という用語は、ウェブ・ベース・プロトコル、例えば、Ｈｙｐｅｒｔｅｘｔ  Ｍａｒｋｕｐ言語型（ＨＴＭＬ型）プロトコルを使用して(via)通信するマシン生成ピア−ツー−ピア・ワイヤレス・ネットワークによってアクセスされるマシン制御システムを意味することを意図しており、ウェブ・ベース・プロトコルを使用してインターネットによってアクセスされるマシン制御システムを意味することは意図していない。
【０００９】
本発明の一形態では、システムを提供する。このシステムは、
マシンであって、
一意のネットワーク識別子および一意のマシン識別子を有するローカル、ワイヤレス、ピア−ツー−ピア・ネットワークと、
このネットワーク上においてウェブ・ブラウザに基づく通信を可能にするインターフェースと、
ネットワークを通じてマシンの動作を制御するためのマシン制御ダッシュボードを提供するダッシュボード・ジェネレータと、
ネットワークおよびマシンのマシン制御ダッシュボードにアクセスするために必要とされる情報の全てをワイヤレスで提供するために、マシンと関連付けられたゲートウェイ・タグと、
を備える、マシンと、
携帯用デバイスであって、ネットワークを通じたウェブ・ブラウザに基づく通信に対応し、ゲートウェイ・タグを取得し、マシン制御ダッシュボードを携帯用デバイス上に表示するように、ゲートウェイ・タグからの情報を使用して自動的にネットワークおよびマシンに接続することによって、携帯用デバイス上に表示されたマシン制御ダッシュボードによってマシンを制御することを可能にするように構成された、携帯用デバイスと、
を備える。
【００１０】
本発明の他の形態では、方法を提供する。この方法は、
システムを設けるステップであって、このシステムが、
マシンであって、
一意のネットワーク識別子および一意のマシン識別子を有するローカル、ワイヤレス、ピア−ツー−ピア・ネットワークと、
このネットワーク上においてウェブ・ブラウザに基づく通信を可能にするインターフェースと、
ネットワークを通じてマシンの動作を制御するためのマシン制御ダッシュボードを提供するダッシュボード・ジェネレータと、
ネットワークおよびマシンのマシン制御ダッシュボードにアクセスするために必要とされる情報の全てをワイヤレスで提供するために、マシンと関連付けられたゲートウェイ・タグと、
を備える、マシンと、
携帯用デバイスであって、ネットワークを通じたウェブ・ブラウザに基づく通信に対応し、ゲートウェイ・タグを取得し、マシン制御ダッシュボードを携帯用デバイス上に表示するように、ゲートウェイ・タグからの情報を使用して自動的にネットワークおよびマシンに接続することによって、携帯用デバイス上に表示されたマシン制御ダッシュボードによってマシンを制御することを可能にするように構成された、携帯用デバイスと、
を備える、ステップと、
携帯用デバイスを使用してゲートウェイ・タグを取得し、マシン制御ダッシュボードが携帯用デバイス上に表示されるように、ネットワークおよびマシンを自動的に接続するステップと、
携帯用デバイス上のマシン制御ダッシュボードを使用して、ネットワークを通じてマシンの動作を制御するステップと、
を含む。
【００１１】
本発明の他の形態では、マシンを提供する。このマシンは、
一意のネットワーク識別子および一意のマシン識別子を有するローカル、ワイヤレス、ピア−ツー−ピア・ネットワークと、
このネットワーク上においてウェブ・ブラウザに基づく通信を可能にするインターフェースと、
ネットワークを通じてマシンの動作を制御するためのマシン制御ダッシュボードを提供するダッシュボード・ジェネレータと、
ネットワークおよびマシンのマシン制御ダッシュボードにアクセスするために必要とされる情報の全てをワイヤレスで提供するために、マシンと関連付けられたゲートウェイ・タグと、
を備える。
【００１２】
本発明の他の形態では、携帯用デバイスのためのソフトウェア・アプリを提供する。ここで、携帯用デバイスは、ネットワークを通じたウェブ・ブラウザに基づく通信に対応し、ゲートウェイ・タグを取得するように構成される。このソフトウェア・アプリは、ネットワークに提供されるマシン制御ダッシュボードが携帯用デバイス上に表示されるように、ゲートウェイ・タグからの情報を使用して、ネットワークに、更にこのネットワークに接続されたマシンにも自動的に接続するように構成される。
【図面の簡単な説明】
【００１３】
本発明のこれらおよびその他の目的ならびに特徴は、以下の発明の好ましい実施形態の詳細な説明によって、更に十分に開示され、明確となろう。詳細な説明は、添付図面と併せて検討され、図面において、同様の番号は同様の部分を指す。
【図１】本発明を使用するガソリン・スタンドの応用例を示す模式図である。
【図２】本発明を使用する実験室の応用例を示す模式図である。
【図３】図２の実験室の応用例のコンテキストにおける本発明の主要コンポーネントを示す模式図である。
【図４】本発明を具体化する新規なシステムの模式図である。
【発明を実施するための形態】
【００１４】
本発明は、先行技術の困難を回避する、新たなマシン（この用語はオブジェクトを包含することを意図している）制御方法を提供する。
更に特定すれば、本発明は、光および／または電子タグ読み取り能力ならびにワイヤレス通信能力が装備されたスマートフォン、タブレット、パーソナル・コンピュータ、スマートウォッチ、スマートグラス等を有する者であれば誰でも、（ｉ）彼らのスマートフォン、タブレット、パーソナル・コンピュータ、スマートウォッチ、スマートグラス等にインストールされた「ユニバーサル・ゲートウェイ・アプリ」、および（ｉｉ）同様に彼らのスマートフォン、タブレット、パーソナル・コンピュータ、スマートウォッチ、スマートグラス等にインストールされたウェブ・ブラウザを使用して、ユーザが、彼らのスマートフォン、タブレット、パーソナル・コンピュータ、スマートウォッチ、スマートグラス等またはマシンのいずれによるインターネット・アクセスも必要とせずに、スマートフォン、タブレット、パーソナル・コンピュータ、スマートウォッチ、スマートグラス等を使用して、マシンの動作を全て制御することができるように、ワイヤレス・ウェブ・ベース・マシン制御システムを有する任意のマシンとワイヤレスで接続することを可能にする。
【００１５】
最初に、ガソリン・スタンドの応用例（図１）のコンテキストで本発明について説明し、次いで、実験室環境例（図２および図３）のコンテキストで説明し、更に包括的用途（図４）のコンテキストで説明する。
【００１６】
１．ガソリン・スタンドの応用例（図１）
前述のように、本発明は、光および／または電子読み取り能力ならびにワイヤレス通信能力が装備されたスマートフォン、タブレット、パーソナル・コンピュータ、スマートウォッチ、スマートグラス等（ここでは、総合的に「携帯用」(portable)または「ハンドヘルド」(handheld)デバイスと呼ぶ。この用語は、本発明に限って言えば、相互交換可能に使用されることを意図している。ハンドヘルド・デバイス５を参照のこと）を有する者であれば誰でも、（ｉ）彼らのスマートフォン、タブレット、パーソナル・コンピュータ、スマートウォッチ、スマートグラス等にインストールされた「ユニバーサル・ゲートウェイ・アプリ」２５（ハンドヘルド・デバイス５の表示画面２７上で実行していることが示されている）、および（ｉｉ）同様に彼らのスマートフォン、タブレット、パーソナル・コンピュータ、スマートウォッチ、スマートグラス等にインストールされたウェブ・ブラウザ３０（ハンドヘルド・デバイス５の表示画面２７上で実行していることが示されている）を使用して、ユーザが、彼らのスマートフォン、タブレット、パーソナル・コンピュータ、スマートウォッチ、スマートグラス等またはマシンのいずれによるインターネット・アクセスも必要とせずに、スマートフォン、タブレット、パーソナル・コンピュータ、スマートウォッチ、スマートグラス等を使用して、マシン（例えば、給油ポンプ１０、自動販売機１５、または車２０）の動作を制御することができるように、ワイヤレス・ウェブ・ベース・マシン制御システム（給油ポンプ１０、自動販売機１５、および車２０を参照のこと）を有する任意のマシンとワイヤレスで接続することを可能にする。
【００１７】
このワイヤレス・ウェブ・ベース・マシン制御システムが装備されたマシンを遠方から瞬時に認識できるようにするために、マシンには「光パルス」(pulsation by light)通信リング・システム３５（給油ポンプ１０、自動販売機１５、および車２０上にあるそれぞれの光リングを参照のこと）が装備されることが好ましい。これらの「光パルス」通信リング・システム３５は、本発明のワイヤレス・ウェブ・ベース制御システムがマシンに装備されていることを人々に警告する、簡単で的確なビーコンとして機能する。また、この「光パルス」通信リング・システム３５は、光パルス・コードによって、マシンの動作ステータスをユーザに知らせるように動作することもできる。一例としてそして限定ではなく、「光パルス」通信リング・システム３５は、マシンが、使用準備完了、使用中、または故障という状態の内１つであるときに忠告することができる（以下の更に詳しい論述を参照のこと）。
【００１８】
更に、「光パルス」通信リング・システム３５を音響パルス（例えば、図１には示されないが図４に示される、マシンに組み込まれたラウドスピーカ３７によって送出される）と結合することができ、音響パルスも、マシンのステータスについて有用な情報（マシンがユーザと直接見通し線内にないというような情報）をユーザに与えることができる。
【００１９】
光パルスおよび／または音響パルスの意味についての説明を、各マシンの前面（または他の部分）に、一連のシンボル（給油ポンプ１０、自動販売機１５、および車２０上に印刷されているマシン・ステータス・シンボル４０を参照のこと）として添付することができる。これらのシンボルは、光パルスおよび／または音響パルスの意味、例えば、１つの光または音響パルスに関連付けられた意味、２つの光または音響パルスに関連付けられた意味、３つの光または音響パルスに関連付けられた意味等を示す(provide)。マシンの前面（または他の部分）上に一連のマシン・ステータス・シンボル４０として光パルスおよび／または音響パルスの意味を具体的に説明することによって、特定の書き言葉を管理する必要が全くなくなるという利点を得ることができる。
【００２０】
また、本発明のワイヤレス・ウェブ・ベース・マシン制御システムが装備されたマシンは、それらのゲートウェイ・タグ４５（図１において光ＱＲコードとして示されているが、光バー・コード、電子ＮＦＣコード、または電子ＲＦＩＤコード等にすることもできる）によって容易に認識することができる。ゲートウェイ・タグ４５は、マシンの前面（または他の部分）に取り付けられ、マシンの動作を制御する制御システムにアクセスするためのゲートウェイとして機能する。
【００２１】
一旦ユーザがマシンの前面（または他の部分）上にあるゲートウェイ・タグ４５を彼らのハンドヘルド・デバイスによってスキャンしたなら、彼らのハンドヘルド・デバイス上にインストールされておりゲートウェイ・タグ４５を光または電子リンク・キー(linking key)として使用する、ユニバーサル・ゲートウェイ・アプリ２５（ハンドヘルド・デバイス５の表示画面２７を参照のこと）が、自動的にハンドヘルド・デバイスをマシンの閉(closed)ピア−ツー−ピア近接ワイヤレス通信ネットワーク４７に接続する。この接続は、（ｉ）無線周波数ベース（ＲＦベース）のネットワーキング技術（給油ポンプ１０、自動販売機１５、および車２０上のアンテナ５０を参照のこと）、または（ｉｉ）データ送信のために発光ダイオード（ＬＥＤ）を使用する閉ピア−ツー−ピアＬｉＦｉ（ライト・フィデリティ）ワイヤレス光ネットワーキング技術によって実装されてもよい（好ましくは、マシン上に既に設置されている「光パルス」通信リング・システム３５と結合される。即ち、「光パルス」通信リング・システム３５は、マシンの閉ピア−ツー−ピアＬｉＦｉ（ライト・フィデリティ）ワイヤレス光ネットワーキング技術の出力側を提供するために使用することができる。マシンの閉ピア−ツー−ピアＬｉＦｉ（ライト・フィデリティ）ワイヤレス光ネットワーキング技術の入力側については、以下で論ずる）。
【００２２】
一例としてそして限定ではなく、ハンドヘルド・デバイス（例えば、スマートフォン、タブレット、パーソナル・コンピュータ、スマートウォッチ、スマートグラス等）は、ゲートウェイ・タグ４５をスキャンするカメラを備えてもよい。その場合、ゲートウェイ・タグ４５は、ＱＲコード、バー・コード等のような光タグ、および／またはゲートウェイ・タグ４５を読み取る電子リーダを備え、ゲートウェイ・タグ４５は、ＮＦＣコードまたはＲＦＩＤコードのような電子タグを含む。
【００２３】
本発明の好ましい形態では、ユーザのスマートフォン、タブレット、パーソナル・コンピュータ、スマートウォッチ、スマートグラス等は、Ｈｙｐｅｒｔｅｘｔ  Ｍａｒｋｕｐ言語（ＨＴＭＬ）をウェブ・ベース・プロトコルとして使用して、マシンの閉ピア−ツー−ピア・ネットワーキング技術によって（および／またはマシンに）通信する。ユーザのハンドヘルド・デバイスとマシンとの間における通信にＨＴＭＬをウェブ・ベース・プロトコルとして使用することが好ましいのは、ハンドヘルド・デバイスのウェブ・ブラウザを、マシンの内部制御ダッシュボード６０にアクセスするための通信ポータルとして使用することができるからである。
【００２４】
一旦ユーザのハンドヘルド・デバイス（例えば、スマートフォン、タブレット、パーソナル・コンピュータ、スマートウォッチ、スマートグラス等）がマシンの内部マザーボード・ウェブ・ジェネレータ５５（給油ポンプ１０、自動販売機１５、または車２０上のマザーボード５７内に内蔵されている）に無線波によって（アンテナ５０によって）または光変調（「光パルス」通信リング・システム３５によって）リンクされたなら、マシンは、給油ポンプ１０、自動販売機１５、または車２０に対するその内部制御ダッシュボード６０、および／または電子支払い方法（必要とされる場合）を直接ユーザのスマートフォン、タブレット、パーソナル・コンピュータ、スマートウォッチ、スマートグラス等のウェブ・ブラウザ３０（ハンドヘルド・デバイス５の表示画面２７上に表示される）に表示する。言い換えると、マザーボード５７は、アンテナ５０によって、または「光パルス」通信リング・システム３５およびハンドヘルド・デバイスのカメラによってＬｉＦｉを使用して光学的に、（更に、ハンドヘルド・デバイスの内蔵フラッシュ／フラッシュ光、およびマシン上に配置された、図示しない、光センサによって、双方向通信を提供するために）等で、ピア−ツー−ピア近接ワイヤレス通信設備（Ｗｉ−Ｆｉ、Ｂｌｕｅｔｏｏｔｈ、ＺｉｇＢｅｅ等のようなＲＦベース技術のいずれかを使用して）を提供し、更に、内部マザーボード・ウェブ・ジェネレータ５５は、ウェブ・ベース通信設備（例えば、Ｈｙｐｅｒｔｅｘｔ  Ｍａｒｋｕｐ言語（ＨＴＭＬ）ベース通信設備）を提供する。接続は、マシンの閉ピア−ツー−ピア近接ワイヤレス通信アレイ（アンテナ５０による）または閉ピア−ツー−ピアＬｉＦｉワイヤレス光ネットワーキング技術（「光パルス」通信リング・システム３５による）のみによって行われるので、これは、セルラ電話機（例えば、ＧＳＭ）およびワイヤレス・インターネット接続が常に利用可能であるまたは望ましいとは限らない環境において、単純な方法で任意のマシン（例えば、給油ポンプ１０、自動販売機１５、または車２０）とインターフェースするという利点を提供する。
【００２５】
更に、ユーザが、特定のマシン（給油ポンプ１０、自動販売機１５、または車２０）を使用することを望む前に、ユニバーサル・ゲートウェイ・アプリ２５（ハンドヘルド・デバイス５の表示画面２７上に示されている）をダウンロードすることができておらず、更にユニバーサル・ゲートウェイ・アプリ２５（ハンドヘルド・デバイス５の表示画面２７上に示されている）をダウンロードするために利用できるセルラ電話機（例えば、ＧＳＭ）もワイヤレス・インターネット接続もない場合、マシンは、ユーザが彼らのスマートフォン、タブレット、パーソナル・コンピュータ、スマートウォッチ、スマートグラス等をマシンと手作業で接続するためにユーザが従うべき１組のアクセス指示６５を、給油ポンプ１０、自動販売機１５、または車２０上において、その光コード・タグ４５の下に（またはマシン上の他の場所に）書き込んである。即ち、書き込まれる命令は、以下の情報を含むことが好ましい。
【００２６】
ａ．特定の近接ピア−ツー−ピア・マシン・ネットワークＩＤの名称、および
ｂ．ユーザが、手作業で、彼らのスマートフォン、タブレット、パーソナル・コンピュータ、スマートウォッチ、スマートグラス等のウェブ・ブラウザ３０をマシンの内部制御ダッシュボード６０に、本発明のウェブ・ベース・ピア−ツー−ピア近接ワイヤレス通信システムを通じて接続できるようにする、マシン特定ＩＰアドレス。
【００２７】
尚、マシンが直接インターネットに配線されてもよく、またはインターネットに接続するための衛星手段が装備されてもよいが、これは、マシンとスマートフォン、タブレット、パーソナル・コンピュータ、スマートウォッチ、スマートグラス等とのユーザ・インターフェース体験を改善するように設計された、マシン保守または内部マザーボード・ウェブ・ジェネレータのファームウェア更新のみを目的とすることを意図することは認められてしかるべきである。このインターネットに対する接続は、マシン専用にすることだけを意図しており、インターネット・アクセスを公衆に提供するように設計されるのではない。しかしながら、利用可能なインターネット接続がない場合でも、マシン上に設けられたピア−ツー−ピア近接ワイヤレス通信アレイ（アンテナ５０を通じてアクセスされる）によって、またはピア−ツー−ピアＬｉＦｉ光通信アレイ（「光パルス」通信リング・システム３５を通じてアクセスされる）を通じた直接マシン対パーソナル・コンピュータまたはタブレット維持ユニット(direct machine-to-personal computer or tablet maintenance units)によって、マシンを維持することができ、またはそのファームウェアを更新させることができる。
【００２８】
一旦パーソナル・ハンドヘルド・デバイスがマシンのウェブ・ベース制御システムに接続されたなら、ユーザがユニバーサル・ゲートウェイ・アプリ２５を以前にダウンロードする時間がなかった場合、そしてユーザがＧＳＭまたはＷｉＦｉネットワークに接続できない場合、ユニバーサル・ゲートウェイ・アプリ２５をマシンからダウンロードする選択肢を提供することができる。このために、ユニバーサル・ゲートウェイ・アプリ２５のコピーが各マシン上のメモリに格納されているので、これにアクセスし、マシンに手作業で接続されたハンドヘルド・デバイスにダウンロードすることができる。したがって、ユーザがユニバーサル・ゲートウェイ・アプリ２５をハンドヘルド・デバイス５にダウンロードするために、インターネット・アクセスは必要でない。
【００２９】
２．他の応用
以上で論じたガソリン・スタンドにおける応用は、本発明の１つの特定用途の単なる一例であることを意図している。本発明は、多くの他の用途においても同様に使用することができる。
【００３０】
一例としてそして限定ではなく、本発明は、多数の分析機器編成(analytical instrumentation)が設置されるのが一般的である実験室環境（図２）において特に有用である。ダクトレス（濾過）ドラフト・チェンバ(fumehood)７０、空気濾過天井ユニット７５、ベンチ下化学薬品保管キャビネット(chemical storage cabinet)８０、ダクト付きドラフト・チェンバ８５、および分析機器９０（例えば、精密スケール、クロマトグラフ、シェーカ、冷却装置等）を参照のこと。これらは全て、簡素さによって安全性を提供するように設計された一般的な制御技術によって使用され、高度の柔軟性が得られなければならない。
【００３１】
また、本発明は、多種多様な現在使用中の他のマシンまたは機材(equipment)、例えば、現金自動預け払い機（ＡＴＭ）、複写機、洗濯機、テレビジョン等とも適合性がある。また、これには、生産および保守に費用がかからないが損傷に強いマシンを利用できる(enable)という利点がある。何故なら、これらのマシンは、破壊される可能性があるキーボードも、硬貨投入式機能も、高価なタッチスクリーン・ディスプレイも不要であるからである。
【００３２】
３．本発明を組み込んだダクトレス（濾過）ドラフト・チェンバを使用する例（図２、「実験室」）における各ステップ
ステップ１：
実験室技術者が実験室（図２）内におり、ダクトレス（濾過）ドラフト・チェンバ７０を使用する必要がある。ダクトレス（濾過）ドラフト・チェンバは、遠方から素早くそして容易に識別することができる。 何故なら、ドラフト・チェンバの前面（または他の部分）に配置された白色のリングまたはバー（点灯または消灯）（即ち、「光パルス」通信リング・システム３５）が装備されているので、色盲の人々であってもドラフト・チェンバを見ることができるからである。更に、ダクトレス（濾過）ドラフト・チェンバ７０は、ドラフト・チェンバの前面（または他の部分）に位置するゲートウェイ・タグ４５（光ＱＲコード、光バー・コード、電子ＮＦＣタグ、電子ＲＦＩＤタグ等）も有する。
【００３３】
ステップ２：
一旦ダクトレス（濾過）ドラフト・チェンバ７０の前に来たなら、実験室技術者はドラフト・チェンバのステータスを判定しなければならない。
【００３４】
「光パルス」通信リング・システム（ドラフト・チェンバの前面に位置する）の白色リングまたはバーが消灯している場合、これが意味するのは、ドラフト・チェンバの電源が切れている、および／または接続されていないということである。
【００３５】
「光パルス」通信リング・システム３５の白色リングまたはバーが点灯して安定している場合（即ち、点滅していない光リング）、これが意味するのは、ダクトレス（濾過）ドラフト・チェンバが接続されて電源が入っているということ、そして安全性パラメータにしたがって使用および作業の準備ができているということである。
【００３６】
ダクトレス（濾過）ドラフト・チェンバの「光パルス」通信リング・システム３５の白色リングまたはベルトが点灯し点滅している場合、これが意味するのは、ドラフト・チェンバが、即座の対処を必要とする安全性パラメータにリンクされた問題を報告しているということである。ダクトレス（濾過）ドラフト・チェンバには、ユーザと直接通信するための画面もキーボードも装備されていないので、「光パルス」通信リング・システム３５のリングまたはバーのモールス符号型点滅と共に、聴覚障害者であっても警報できるように、可聴「モールス符号型」アラームを、即ち、特定の数の音響および／または光パルスの形態で、特定の種類の警報に対応する数の音響パルスおよび／または光パルスによって生成する。ユーザが、可聴「モールス符号型」アラームおよび／または「モールス符号型」光パルスによって表される警報の種類を理解するために、１組のマシン・ステータス・シンボル４０が、ダクトレス（濾過）ドラフト・チェンバ７０の前面（または他の部分）上に印刷されており、いずれの特定の書き言葉にも戻る必要なく、ユーザが受けているアラームの種類についてユーザに情報提供する。例えば、マシン・ステータス・シンボル４０は、１つの音響および／または光パルス生成(pulsation)（「パルス」）が、日常のフィルタ保守チェックを行わなければならないことを意味し、２つの音響および／または光パルス生成（「パルス」）が、前面空気速度低下による封じ込め問題(containment problem)があることを意味し、３つの音響および／または光パルス生成（「パルス」）が、ドラフト・チェンバの主要分子フィルタの飽和による問題があることを意味し、４つの音響および／または光パルス生成（「パルス」）が、ドラフト・チェンバのファンによる問題があることを示すように構成されてもよい。
【００３７】
（ｉ）光および音響パルス生成についての注記事項
尚、警報情報をユーザに提供する「モールス符号型」パルスを用いる、リングまたはバーのパルス状白色光およびパルス状音響によるこの単純な警報伝達システムは、安全性に関連する多くの便益をもたらすことは認められてしかるべきである。何故なら、これは遠方からでも、窓またはガラス・ドアの背後からでも見ることができるからである。また、この単純な警報伝達システムは、いずれの特定の書き言葉にも戻ることなく、（リングまたはバーの白色光パルス生成と同期する）その特有の音響パルス生成によって聞き取ることができる。何故なら、これらの音響および光パルス生成が、各マシンの前面（または他の部分）上にあるマシン・ステータス・シンボル４０に対応するからである。マシン・ステータス・シンボル４０は、マシンに現在何が起こっているか、非言語的書き言葉(non-verbal written language)で説明する。更に他の便益は、この簡素な光および音響通信システムが、特有の表示(signature)となるように製品設計に組み込まれるので、本発明のパルス状光リングならびにパルス状音響というこの特徴を組み込んだ任意のマシン、例えば、ダクトレス（濾過）ドラフト・チェンバ７０、空気濾過天井ユニット７５、ベンチ下化学薬品保管キャビネット８０、ダクト付きドラフト・チェンバ８５、および分析機器９０を識別しこれとインターフェースする一般的な方法として、この特有の表示を誰でも瞬時に認識し理解することである。尚、音響および／または光パルス生成の他の組み合わせも、他の実験室機材または実験室世界と関連がない任意の他の種類の機材に適合する他のアラーム種類とも関連付けできることを注記しておく。また、「光パルス」通信リング・システム３５の光のリングまたはバーは、任意の色、例えば、白、青、赤等でもよいことも注記してしかるべきである。
【００３８】
ステップ３：
以上のステップ１および２において見られたように、そして本発明の一部として、ダクトレス（濾過）ドラフト・チェンバ７０は、（ｉ）光（例えば、ダクトレス（濾過）ドラフト・チェンバ上の光リング）、（ｉｉ）音響、および（ｉｉｉ）シンボル（例えば、ダクトレス（濾過）ドラフト・チェンバ７０上のマシン・ステータス・シンボル４０）の組み合わせに基づく、一次通信レベルを使用する。これらは全て、警報の簡素化によって、使用の安全性を高めるように設計されている。しかしながら、実験室技術者が、警報の性質に関して更に詳しく知る必要がある場合、彼／彼女は、以上で述べた一次通信レベルを超えて、情報が豊富な環境にアクセスすることができる。
【００３９】
ステップ１において説明したように、一旦マシンが識別されたなら、マシンの前面（または他の部分）上において、ゲートウェイ・タグ４５（例えば、光ＱＲタグ、光バー・コード・タグ、電子ＮＦＣタグ、電子ＲＦＩＤタグ等）に気が付くであろう。ゲートウェイ・タグ４５は、マシンのワイヤレス・ウェブ・ベース制御システム内に通ずるゲートウェイとして機能する。この接続を達成するために、実験室技術者は、光および／または電子タグ読み取り能力ならびにワイヤレス通信能力が装備されたスマートフォン、タブレット、パーソナル・コンピュータ、スマートウォッチ、スマートグラス等（例えば、ハンドヘルド・デバイス５）を使用し、スマートフォン、タブレット、パーソナル・コンピュータ、スマートウォッチ、スマートグラス等を直接ダクトレス（濾過）ドラフト・チェンバの埋め込みワイヤレス・ローカル・エリア・ネットワークに接続するための２つの方法から１つを選択する（例えば、ワイヤレス・アンテナ５０を通じて、または光ネットワーキング・アクセスをマシンに付与する「光パルス」通信リング・システム３５を通じて）。
【００４０】
（ｉ）第１接続方法
第１接続方法は、彼らのスマートフォン、タブレット、パーソナル・コンピュータ、スマートウォッチ、スマートグラス等のための非常に簡単なアプリ（即ち、ハンドヘルド・デバイス５の表示画面２７上で実行していることが示されているユニバーサル・ゲートウェイ・アプリ２５）を、インターネットからダウンロードすることである。このユニバーサル・ゲートウェイ・アプリ２５は、ゲートウェイ・タグがハンドヘルド・デバイス５（例えば、スマートフォン、タブレット、パーソナル・コンピュータ、スマートウォッチ、スマートグラス等）のカメラによってスキャンされた後、またはハンドヘルド・デバイス５のＮＦＣまたはＲＦＩＤリーダによって読み込まれた後に、ダクトレス（濾過）ドラフト・チェンバ上の前面（または他の部分）に位置するゲートウェイ・タグ４５（例えば、光ＱＲタグ、光バー・コード・タグ、電子ＮＦＣタグ、電子ＲＦＩＤタグ等）を読み取り、デコードするように設計されている。一旦ゲートウェイ・タグ４５がユニバーサル・ゲートウェイ・アプリ２５（ハンドヘルド・デバイス５の表示画面２７上で実行していることが示されている）によってスキャンおよびデコードされたなら、ユニバーサル・ゲートウェイ・アプリ２５は、そのプログラミングによって、ハンドヘルド・デバイス５に自動的にワイヤレスでマシンのピア−ツー−ピア埋め込みネットワークに、アンテナ５０を通じて（または「光パルス」通信リング・システム３５を通じて）接続させ、スマートフォン、タブレット、パーソナル・コンピュータ、スマートウォッチ、スマートグラス等のウェブ・ブラウザ３０を通じて、内部マザーボード・ウェブ・ジェネレータ５５によって生成されたダクトレス（濾過）ドラフト・チェンバの内部制御ダッシュボード６０にアクセスさせる。
【００４１】
本質的に、ユニバーサル・ゲートウェイ・アプリ２５は、マシンのピア−ツー−ピア埋め込みネットワークを通じて、ハンドヘルド・デバイス５をマシンの制御システムに接続するために必要とされる情報の全てをゲートウェイ・タグ４５から取得し、次いでハンドヘルド・デバイス５のウェブ・ブラウザ３０を使用して、ウェブ・ベース・プロトコルによって（例えば、Ｈｙｐｅｒｔｅｘｔ  Ｍａｒｋｕｐ言語（ＨＴＭＬ）ベースのプロトコルによって、または本開示に関する当業者には明白な他のウェブ・ベース・ネットワーキング・プロトコルによって）マシンのための内部制御ダッシュボード６０を表示するように、この接続を自動的に行う。
【００４２】
（ｉｉ）第２接続方法
ハンドヘルド・デバイス５をダクトレス（濾過）ドラフト・チェンバ７０に接続する第２方法は、手作業でデバイスとマシンとのリンクアップを実行することである（即ち、 ユーザのスマートフォン、タブレット、パーソナル・コンピュータ、スマートウォッチ、スマートグラス等のダクトレス（濾過）ドラフト・チェンバへの手作業のリンクアップを実行する）。更に特定すれば、ユニバーサル・ゲートウェイ・アプリ２５が以前にユーザのハンドヘルド・デバイス５にダウンロードされていない場合、そしてユニバーサル・ゲートウェイ・アプリ２５をユーザのスマートフォン、タブレット、パーソナル・コンピュータ、スマートウォッチ、スマートグラス等にダウンロードするためにセルラ電話機（例えば、ＧＳＭ）もワイヤレス・インターネット（例えば、ＷｉＦｉ）接続も利用可能でない場合、マシンの前面（または他の部分）上において、そのゲートウェイ・タグ４５（例えば、光ＱＲコード、光バー・コード、電子ＮＦＣコード、電子ＲＦＩＤコード等）の下に、ユーザが手作業のデバイス−マシン・リンクアップを実行することを可能にするために必要とされる手作業アクセス指示６５が、濾過ドラフト・チェンバにも印刷される。これらのアクセス指示６５は、ユーザが、ピア−ツー−ピア・マシン・ネットワークおよびウェブ・ベース通信プロトコルを使用して、彼らのスマートフォン、タブレット、パーソナル・コンピュータ、スマートウォッチ、スマートグラス等のウェブ・ブラウザ３０を濾過ドラフト・チェンバの内部制御ダッシュボード６０に手作業で接続することができるように、以下を含むことが好ましい。
【００４３】
ａ．マシンに埋め込まれたピア−ツー−ピア・ワイヤレス技術の種類（ＷｉＦｉ、ＮＦＣ、Ｂｌｕｅｔｏｏｔｈ、ＺｉｇＢｅｅ、ＬｉＦｉ等）、
ｂ．特定の近接ピア−ツー−ピア・マシン・ネットワークＩＤの名称、および
ｃ．マシン特定ＩＰアドレス。
【００４４】
（ｉｉｉ）ユニバーサル・ゲートウェイ・アプリに関する注記事項
尚、このユニバーサル・ゲートウェイ・アプリ２５は、「コネクテッド・オブジェクト」または「コネクテッド・マシン」に通例バンドルされている種類の「制御」アプリではないことは、認められてしかるべきである。「制御」アプリは、それがペアリングされる「コネクテッド・オブジェクト」または「コネクテッド・マシン」に合わせて特定的に作成される。逆に、本発明のユニバーサル・ゲートウェイ・アプリ２５は、全般的であるように設計され、特定の製品に繋げられるようにも、特定のブランドの製品に繋げられるようにも設計されていない。本質的に、ユニバーサル・ゲートウェイ・アプリ２５は、アプリがゲートウェイ・タグ４５をデコードした後、ハンドヘルド・デバイス５を使用して、素早くそして容易に任意のマシンにワイヤレスで接続するように設計されたプロトコルであり、ゲートウェイ・タグ４５は、自動デバイス−マシン・リンクアップを可能にするために必要とされる情報を組み込む。この情報は、好ましくは、以下を含む。
【００４５】
ａ．マシンに埋め込まれたピア−ツー−ピア・ワイヤレス技術（ＷｉＦｉ、ＮＦＣ、Ｂｌｕｅｔｏｏｔｈ、ＺｉｇＢｅｅ、ＬｉＦｉ等）の性質、
ｂ．マシンの特定ネットワークＩＤ名の識別、および
ｃ．マシンの特定ＩＰアドレスの識別。
【００４６】
マシンの前面（または他の部分）上に位置するゲートウェイ・タグ４５（即ち、「光コード・タグ」）が、ユーザのスマートフォン、タブレット、パーソナル・コンピュータ、スマートウォッチ、スマートグラス等上で実行するユニバーサル・ゲートウェイ・アプリ２５によってデコードされた後、ユニバーサル・ゲートウェイ・アプリ２５は、自動的に、スマートフォン、タブレット、パーソナル・コンピュータ、スマートウォッチ、スマートグラス等のウェブ・ブラウザ３０を起動し(trigger)、制御すべきマシンが、その埋め込みウェブ・ジェネレータ５５の補助により、そのピア−ツー−ピア・ワイヤレス・リンク（例えば、ワイヤレス・アンテナ５０または「光パルス」通信リング・システム３５）を通じて、その内部制御ダッシュボード６０を、ウェブ・ブラウザ３０を実行しているスマートフォン、タブレット、パーソナル・コンピュータ、スマートウォッチ、スマートグラス等の表示画面２７上に直接プッシュできるようにする。したがって、この簡素なユニバーサル・ゲートウェイ・アプリ２５が、デスクトップを大量に使用し更にメモリを大量に使用する、数千もの従来の専有「制御」アプリに置き換わることができる。そうでないと、従来の「制御アプリ」は、ユーザが新たなマシンに接続する必要がある毎に、ユーザのスマートフォン、タブレット、パーソナル・コンピュータ、スマートウォッチ、スマートグラス等のデスクトップおよびメモリ空間をたちまち溢れさせる(overload)可能性がある。
【００４７】
また、本発明を用いると、ハンドヘルド・デバイス５の表示画面２７上に表示された内部制御ダッシュボード６０が、マシンの完全な双方向動作を可能にすること、即ち、マシンは全てのユーザ入力／出力のためにハンドヘルド・デバイス５の表示画面を使用することができ、マシンの動作を制御するためにはもはやオンボード表示画面を必要とせずに済むようになることも認められてしかるべきである。
【００４８】
以上のことに加えて、本発明の１つの好ましい形態では、ユニバーサル・ゲートウェイ・アプリ２５は、（ｉ）ハンドヘルド・デバイス５がマシンに接続されたときにマシンの「動作ログ」をハンドヘルド・デバイス５にダウンロードし、（ｉｉ）その後、ハンドヘルド・デバイスがインターネットまたはセルラ・ネットワークに接続することができる(has connectivity)とき、そのマシンの「動作ログ」をハンドヘルド・デバイス５から離れたサイト（例えば、製造業者のデータベース）にアップロードするように構成される。このようにユニバーサル・ゲートウェイ・アプリ２５およびハンドヘルド・デバイスを使用して、マシンの「動作ログ」をマシンから収集し、離れたサイトに供給することができる。
【００４９】
ステップ４：
一旦ダクトレス（濾過）ドラフト・チェンバ７０のピア−ツー−ピア・ワイヤレス・ネットワークとユーザのスマートフォン、タブレット、パーソナル・コンピュータ、スマートウォッチ、スマートグラス等との間に、ユニバーサル・ゲートウェイ・アプリ２５を通じてネットワーク接続（内部マザーボード・ウェブ・ジェネレータ５５によって形成される）が確立されたなら、ダクトレス（濾過）ドラフト・チェンバの内部ウェブ・サービス・ジェネレータ（即ち、内部マザーボード・ウェブ・ジェネレータ５５）は自動的にその内部制御ダッシュボード６０をユーザのスマートフォン、タブレット、パーソナル・コンピュータ、スマートウォッチ、スマートグラス等のウェブ・ブラウザ３０上に、彼らのスマートフォン、タブレット、パーソナル・コンピュータ、スマートウォッチ、スマートグラス等に既に関連付けられている自然言語（例えば、英語、フランス語、ドイツ語等）で表示する。このようにするときに、ユーザは、ダクトレス（濾過）ドラフト・チェンバの性能、使用統計、パラメータ、履歴ログ等についての情報にアクセスすることができる。
【００５０】
ステップ５：
ユーザが他のダクトレス（濾過）ドラフト・チェンバ７０、または空気濾過天井ユニット７５、または「ベンチ下」(under bench)化学薬品保存キャビネット８０、またはダクト付きドラフト・チェンバ８５、または一連の分析機器９０（例えば、精密スケール、クロマトグラフ、シェーカ、冷却装置等）を使用する必要がある場合、ユーザは、使用しようとする新たなマシン各々の前面（または他の部分）上に位置するゲートウェイ・タグ４５（例えば、光ＱＲコード、光バー・コード、電子ＮＦＣコード、電子ＲＦＩＤコード等）を単にスキャンすることによって（即ち、先のステップ３、第１接続方法を使用して）、そのようにすることができる。この場合も再度、ユニバーサル・ゲートウェイ・アプリ２５が未だユーザのハンドヘルド・デバイス５上にない場合、そしてユニバーサル・ゲートウェイ・アプリ２５を彼らのハンドヘルド・デバイス５にダウンロードするためにインターネット・サービスもセルラ・ネットワークも利用可能でない場合、ユーザは手作業で彼らのスマートフォン、タブレット、パーソナル・コンピュータ、スマートウォッチ、スマートグラス等を、以上で述べた技術的機能が装備された任意のマシンに接続することができる（先のステップ３、第２接続方法を使用して）。何故なら、ユーザのスマートフォン、タブレット、パーソナル・コンピュータ、スマートウォッチ、スマートグラス等に搭載されたウェブ・ブラウザと接続する必要があるハードウェアおよびソフトウェアを収容するのは、そのマシン自体であるからである。重要なこととして、次いで、ユーザはユニバーサル・ゲートウェイ・アプリ２５を彼らのハンドヘルド・デバイス５に、ハンドヘルド・デバイス５が接続されているマシンからダウンロードすることができ、その後ユーザは、ダウンロードしたユニバーサル・ゲートウェイ・アプリ２５、および彼らがアクセスすることを望むマシン上に位置するゲートウェイ・タグ４５を使用して、自動的に他のマシンに接続することができる。
【００５１】
４．本発明のコンポーネント（図３、「コンポーネント」）およびそれらの動作の概要
＊マシンを取り囲む、またはマシンの前面にある白色（または他の色の）光のリングまたはバー（例えば、「光パルス」通信リング・システム３５）が、次の２つの機能を行う。
【００５２】
ａ．従前からの表示画面の使用を必要としない、光および音響パルス・コード(pulsation code)による簡素なマン−マシン・インターフェース、および
ｂ．遠方から見ることができ、ユーザが彼／彼女のスマートフォン、タブレット、パーソナル・コンピュータ、スマートウォッチ、スマートグラス等によって、このマシンを使用できることを、ユーザに知らせる簡素な識別マーカ。
【００５３】
＊各マシンの前面（または他の部分）上に取り付けられたゲートウェイ・タグ４５、例えば、光ＱＲコード、光バー・コード、電子ＲＦＩＤコード、電子ＮＦＣコード等は、ウェブ・ブラウザが装備されたスマートフォン、タブレット、パーソナル・コンピュータ、スマートウォッチ、スマートグラス等と共に使用する、マシンのウェブ・ダッシュボード・ジェネレータ内への直接接続ゲートウェイとして機能する。
【００５４】
＊マシン（例えば、ダクトレス（濾過）ドラフト・チェンバ７０）の前面（または他の部分）上に印刷された１組のマシン・ステータス・シンボル４０が、いずれの特定の書き言葉にも戻る必要なく、ユーザが受けているアラームの種類について、その意味をユーザに知らせる。
【００５５】
＊スマートフォン、タブレット、パーソナル・コンピュータ、スマートウォッチ、スマートグラス等をマシンに手作業でリンクアップするための手作業リンクアップ通知ステッカ（アクセス指示６５）。ユニバーサル・ゲートウェイ・アプリ２５をダウンロードするためにセルラ電話機（例えば、ＧＳＭ）もワイヤレス・インターネット接続も利用可能でない場合、マシン（例えば、ダクトレス（濾過）ドラフト・チェンバ）は、マシンの前面（または他の部分）においてそのゲートウェイ・タグ４５（即ち、ＱＲコード、バー・コード、ＮＦＣコード、ＲＦＩＤコード等）の下に、マシンとハンドヘルド・デバイスとの間で手作業でリンクアップを行うために必要とされる情報も書き込まれており、この情報は好ましくは、以下の情報を含む。
【００５６】
ａ．マシン内に埋め込まれたピア−ツー−ピア・ワイヤレス技術の種類（ＷｉＦｉ、ＮＦＣ、Ｂｌｕｅｔｏｏｔｈ、ＺｉｇＢｅｅ、ＬｉＦｉ等）、
ｂ．特定の近接ピア−ツー−ピア・マシン・ネットワークＩＤの名称、および
ｃ．ユーザが彼らのスマートフォン、タブレット、パーソナル・コンピュータ、スマートウォッチ、スマートグラス等のウェブ・ブラウザをマシンの内部制御ダッシュボード６０に手作業で接続することができるようにする、マシン特定ＩＰアドレス。
【００５７】
＊ユニバーサル・ゲートウェイ・アプリ２５は、ユーザのスマートフォン、タブレット、パーソナル・コンピュータ、スマートウォッチ、スマートグラス等のための光またはワイヤレス・リンク・キーとして機能し、マシンの前面（または他の部分）に位置するゲートウェイ・タグ４５（即ち、光ＱＲ、光バー・コード、電子ＮＦＣコード、電子ＲＦＩＤコード等）を読み取ってデコードするように設計されているので、スマートフォン、タブレット、パーソナル・コンピュータ、スマートウォッチ、スマートグラス等はマシンのピア−ツー−ピア埋め込みネットワークにワイヤレスで自動的に接続する。
【００５８】
＊インターネットもセルラ接続も必要とせずに、任意のスマートフォン、タブレット、パーソナル・コンピュータ、スマートウォッチ、スマートグラス等と直接接続するための、マシン自己生成埋め込みピア−ツー−ピア・ワイヤレス・ローカル・エリア・ネットワーク９５。
【００５９】
＊好ましくはマシンのマザーボード５７に直接統合された埋め込みウェブ・サービス仮想ダッシュボード（即ち、内部制御ダッシュボード６０）。これは、ユーザが、彼／彼女のスマートフォン、タブレット、パーソナル・コンピュータ、スマートウォッチ、スマートグラス等のウェブ・ブラウザ３０を使用して、双方向でマシンの制御を行うことを可能にするが、ハンドヘルド・デバイスのダッシュボードおよびメモリ空間に過剰負担をかける可能性がある、特定のメモリ集約的アプリを異なるマシン毎にダウンロードする必要が全くない。
【００６０】
＊光学認識装置１００（例えば、光学認識ソフトウェアを有するカメラ）、および／またはＲＦＩＤタグ・リーダ１０５、および／またはＬｉＦｉリーダ１１０（例えば、光センサ）、および／またはＮＦＣリーダ１１５、ならびにウェブ・ブラウザ３０が装備された携帯用デバイス（例えば、スマートフォン、タブレット、パーソナル・コンピュータ、スマートウォッチ、スマートグラス等のようなハンドヘルド・デバイス５）。一旦マシンの埋め込みウェブ・サービス制御ダッシュボード６０にリンクされると、ワイヤレス手段６０によって、この１組の技術が装備された任意のマシンを双方向で完全に制御することができる。
【００６１】
５．全体的なシステム構成（図４）
このように、本発明の好ましい形態によれば、そしてここで図４を参照すると、各マシンは、
（ｉ）マシンの存在をユーザに「告知し」、「モールス符号型」警報をユーザに出し、ユーザのスマートフォン、タブレット、パーソナル・コンピュータ、スマートウォッチ、スマートグラス等との光通信に対応する光リングまたはバーと、
（ｉｉ）「モールス符号型」警報をユーザに出すラウドスピーアと、
（ｉｉｉ）ユーザのスマートフォン、タブレット、パーソナル・コンピュータ、スマートウォッチ、スマートグラス等のウェブ・ブラウザと直接接続するためのウェブ・ベース・プロトコル・インターフェースが装備されたピア−ツー−ピア・ワイヤレス・ローカル・エリア・ネットワークと、
（ｉｖ）ユーザが、ユーザのスマートフォン、タブレット、パーソナル・コンピュータ、スマートウォッチ、スマートグラス等上でウェブ・ブラウザを使用して、マシンの動作の制御を行うことを可能にするために、マシンのマザーボードに直接統合された埋め込みウェブ・サービス仮想ダッシュボードと、
（ｖ）ユーザのスマートフォン、タブレット、パーソナル・コンピュータ、スマートウォッチ、スマートグラス等上で実行するユニバーサル・ゲートウェイ・アプリによって読み取るためにマシンの前面（または他の部分）に取り付けられたゲートウェイ・タグと、
（ｖｉ）ユーザが彼らのスマートフォン、タブレット、パーソナル・コンピュータ、スマートウォッチ、スマートグラス等のウェブ・ブラウザをマシンに手作業で接続することを可能にするために、マシンの前面（または他の部分）上に印刷された手作業指示と、
を備えることがわかるであろう。
【００６２】
更に、本発明の好ましい形態によれば、ユーザの携帯用デバイス（スマートフォン、タブレット、パーソナル・コンピュータ、スマートウォッチ、スマートグラス等）が、
（ｖｉｉ）マシンの前面（または他の部分）に取り付けられたゲートウェイ・タグを読み取ることができる光学リーダ（または電子リーダ）と、
（ｖｉｉｉ）ウェブ・ブラウザと、
（ｉｘ）光学（または電子）リーダによって得られた画像／データを使用して、携帯用デバイスのウェブ・ブラウザをマシンのピア−ツー−ピア・ワイヤレス・ローカル・エリア・ネットワークに接続し、ウェブ・ブラウザをマシンの埋め込みウェブ・サービス仮想ダッシュボードにリンクするためのユニバーサル・ゲートウェイ・アプリと、
を備えることがわかるであろう。
【００６３】
また、１つの好ましい使用態様では、ユーザがマシンに近づき、マシンに組み込まれた光のリングまたはバーに気が付き、直ちに光のリングまたはバーによってマシンのステータスを通知され、更に光のリングまたはバーの「モールス符号型」光パルス、およびラウドスピーカによって供給される「モールス符号型」オーディオ・パルスによって、マシンに関連付けられた任意の警報を通知されることもわかるであろう。
【００６４】
次に、ユーザは、ユニバーサル・ゲートウェイ・アプリが未だ彼らのスマートフォン、タブレット、パーソナル・コンピュータ、スマートウォッチ、スマートグラス等にロードされていない場合、インターネットを使用して、ユニバーサル・ゲートウェイ・アプリを彼らのスマートフォン、タブレット、パーソナル・コンピュータ、スマートウォッチ、スマートグラス等にダウンロードする。
【００６５】
次いで、ユーザは、マシンの前面（または他の部分）上にあるゲートウェイ・タグをスキャンし（光学的にまたは電子的に）、ユニバーサル・ゲートウェイ・アプリは、ユーザが彼らのウェブ・ブラウザを使用してマシンの動作を双方向で制御することができるように、ゲートウェイ・タグに埋め込まれた情報を使用して、ユーザのスマートフォン、タブレット、パーソナル・コンピュータ、スマートウォッチ、スマートグラス等上のウェブ・ブラウザをマシンの埋め込みウェブ・サービス仮想ダッシュボードに自動的に接続する。
【００６６】
尚、マシンが位置する場所にはインターネットもセルラ電話接続もない場合、ユーザはマシンの前面（または他の部分）上に設けられた手作業アクセス指示を使用して、彼らのスマートフォン、タブレット、パーソナル・コンピュータ、スマートウォッチ、スマートグラス等のウェブ・ブラウザを、マシンの埋め込みウェブ・サービス仮想ダッシュボードに手作業で接続できることを注記しておく。
【００６７】
６．マシンの集合体
以上１台のマシンの制御を可能にするシステムのコンテキストで本発明について論じたが、本発明のシステムは、１台のマシンではなく、マシンの集合体を制御するために使用することもでき、各マシンがユーザにマシン特定ダッシュボードを提供し、各マシンが共通のダッシュボードとインターフェースすることは認められてしかるべきである。
【００６８】
一例としてそして限定ではなく、本発明のシステムは、１つの部屋（例えば、ホテルの部屋）の中にある電子デバイス／マシンの全てを制御するために使用することもできる。このような制御方式では、各電子デバイス／マシンは、ネットワーク（例えば、ワイヤレス・ネットワーク）に接続するように構成され、そのネットワークを通じて動作制御を可能にするように構成される。このような電子デバイス／マシンであれば、その「コンステレーション」(constellation)は、各マシンがネットワークを通じて一緒にリンクされるように、局限ピア−ツー−ピア・ネットワークを生成するように構成される。しかるべきユニバーサル・ゲートウェイ・アプリを有するパーソナル・ハンドヘルド・デバイス（例えば、スマートフォン）を使用して、部屋内（例えば、部屋の壁上）に位置するゲートウェイ・タグをスキャンすることができ、これによって、局限ピア−ツー−ピア・ネットワークの識別情報(identity)を入手し、それに接続する（例えば、ウェブ・ブラウザを通じて）。次いで、ユーザはパーソナル・ハンドヘルド・デバイス（例えば、スマートフォン）を使用して、１つのダッシュボードを通じてまたはダッシュボードのコンステレーションを通じて、１つの部屋内にある電子デバイス／マシンの各々を制御することができる。
【００６９】
７．マシンの改造
本発明の更に他の形態では、ウェブ・ベース・プロトコル・インターフェースによる局限ピア−ツー−ピア・ネットワークの自己生成を可能にし、この局限ピア−ツー−ピア・ネットワークに接続された携帯用電子デバイスに提示されたダッシュボードを通じてそのマシンの制御を容易に行えるように、既存のマシンを改造することができる。
【００７０】
一例としてそして限定ではなく、望ましければ、ハード・リンク（例えば、ＵＳＢ接続）によって既存のマシンと統合する（または電子的に通信する）ように構成されたデバイスによって、本発明のシステムを使いやすくすることもできる。このようなＵＳＢデバイスは、（１）局限ピア−ツー−ピア・ネットワークを生成するため（または既存の局限ピア−ツー−ピア・ネットワークに加入するため）のネットワーク生成手段と、（２）局限ピア−ツー−ピア・ネットワーク上に提示されたウェブ・ベース・ダッシュボードを通じて既存のマシン（例えば、テレビジョン受像機）の機能の制御を可能にするように（したがって、局限ピア−ツー−ピア・ネットワークと通信するハンドヘルド・デバイスのウェブ・ブラウザを通じて既存のマシンの機能の制御を可能にする）、既存のマシン（例えば、テレビジョン受像機）とインターフェースするためのインターフェースとを備える。他の例としてそして限定ではなく、（１）従来のドラフト・チェンバのＵＳＢポートに前述のＵＳＢデバイスを差し込み、（２）マシンの前面（または他の部分）上にゲートウェイ・タグを配置することによって、本発明を使用して、ＵＳＢポートを有する従来のドラフト・チェンバを制御することができる。すると、ハンドヘルド・デバイス、例えば、ユニバーサル・ゲートウェイ・アプリ、ゲートウェイ・タグ・リーダ、およびウェブ・ブラウザが装備されたものによって、改良したドラフト・チェンバを制御することができる。
【００７１】
８．結論
これらの技術を組み合わせると、小型で全般的なアプリ（即ち、ユニバーサル・ゲートウェイ・アプリ）を使用して、任意の単体マシンと容易にインターフェースし、その完全な制御を行う全般的な手段を提供するように設計されたパッケージとして機能する。これは、使用するマシン毎に内蔵画面、タッチスクリーン、またはキーボードを使用する必要なく、更に製造業者の特定の「制御」アプリをダウンロードするためにインターネットに接続する必要も、中央データ収集サーバに接続する必要もなく、種々のマシンへの自動ゲートウェイ・キーとして機能する。何故なら、各マシンは、ウェブ・ブラウズ機能が既にロードされている任意の携帯用デバイス（スマートフォン、タブレット、パーソナル・コンピュータ、スマートウォッチ、スマートグラス等）と共に使用するための、それ自体のローカル・エリア・ネットワーク、データ収集データベース、および双方向ダッシュボード・ウェブ・ジェネレータを生成するからである。
【００７２】
本発明を使用することによって、コストを削減し、マシン開発および生産に伴う設計および環境フットプリント(environmental footprint)を簡素化し、大規模なインターネットまたはネットワーク・インフラストラクチャを伴うことが多い、各マシン用の複雑なアプリの開発に伴うコストを削減しつつ、彼らのスマートフォン、タブレット、パーソナル・コンピュータ、スマートウォッチ、スマートグラス等のデスクトップ空間もメモリ空間も飽和させる必要なく、複数のマシンとインターフェースする大域的で、簡素で、全般的な手段をユーザに提供するという良い効果を得ることができる。
【００７３】
好ましい実施形態の変更
尚、組織(parts)の詳細、本発明の特性を説明するために本明細書において説明および図示された材料、ステップ、および構成に対して、当業者によって多くの追加変更を行うことができ、それでもなお本発明の原理および範囲内に留まることは、理解されてしかるべきである。
【図１】
2020533877.tif 000003
【図２】
2020533877.tif 000004
【図３】
2020533877.tif 000005
【図４】
2020533877.tif 000006
【国際調査報告】
2020533877.tif 000007